(57)【要約】【課題】サービス利用者とサービス提供者の両者にとって利便性の高い印刷物の作成を支援する。【解決手段】印刷装置１は、取得部２００と、検出部３００と、画像生成部４００を備える。取得部２００は、第１の印刷画像と、第１の印刷画像に含まれている主印字データに関連する付加情報と、を取得する。検出部３００は、第１の印刷画像の中から付加情報を挿入すべき挿入領域を検出する。画像生成部４００は、第１の印刷画像の挿入領域に付加情報が挿入された第２の印刷画像を生成する。【選択図】図５
2020205570.tif 000002
【特許請求の範囲】
【請求項１】
第１の印刷画像と、前記第１の印刷画像に含まれている主印字データに関連する付加情報と、を取得する取得部と、
前記第１の印刷画像の中から前記付加情報を挿入すべき挿入領域を検出する検出部と、
前記第１の印刷画像の前記挿入領域に前記付加情報が挿入された第２の印刷画像を生成する画像生成部と、を備える
ことを特徴とする印刷画像生成装置。
【請求項２】
請求項１に記載の印刷画像生成装置において、
前記検出部は、前記第１の印刷画像内の余白領域の中から前記挿入領域を検出する
ことを特徴とする印刷画像生成装置。
【請求項３】
請求項２に記載の印刷画像生成装置において、
前記検出部は、前記主印字データの文字サイズ又は文字間隔に基づいて、前記第１の印刷画像の中から前記余白領域を検出する
ことを特徴とする印刷画像生成装置。
【請求項４】
請求項１に記載の印刷画像生成装置において、
前記検出部は、前記付加情報を前記第１の印刷画像に挿入する位置に応じて変化する前記主印字データと前記付加情報との重なりに基づいて、前記第１の印刷画像の中から前記挿入領域を検出する
ことを特徴とする印刷画像生成装置。
【請求項５】
請求項１に記載の印刷画像生成装置において、
前記検出部は、前記第１の印刷画像内の前記主印字データを表す領域の中から前記挿入領域を検出する
ことを特徴とする印刷画像生成装置。
【請求項６】
請求項１乃至請求項５のいずれか１項に記載の印刷画像生成装置において、
前記検出部は、前記挿入領域の複数の候補が検出されたときに、前記第１の印刷画像内における前記複数の候補の位置に基づいて、前記複数の候補から前記挿入領域を選択する
ことを特徴とする印刷画像生成装置。
【請求項７】
請求項１乃至請求項６のいずれか１項に記載の印刷画像生成装置において、
前記画像生成部は、前記付加情報を前記主印字データとは異なる色又は濃度で前記第１の印刷画像に挿入する
ことを特徴とする印刷画像生成装置。
【請求項８】
請求項１乃至請求項７のいずれか１項に記載の印刷画像生成装置において、
前記主印字データは、第１の言語の第１の文字列を含み、
前記付加情報は、前記第１の文字列に対応する情報であって、図形、又は、前記第１の言語とは異なる第２の言語の第２の文字列の少なくとも一方を含む
ことを特徴とする印刷画像生成装置。
【請求項９】
請求項８に記載の印刷画像生成装置において、
前記主印字データは、第１の言語の第１の文字列を含み、
前記第２の文字列は、前記第１の文字列の第２の言語への翻訳である
ことを特徴とする印刷画像生成装置。
【請求項１０】
請求項８又は請求項９に記載の印刷画像生成装置において、
前記図形、又は、前記第２の文字列を構成する文字の少なくとも一方のサイズは、前記第１の文字列を構成する文字のサイズよりも小さい
ことを特徴とする印刷画像生成装置。
【請求項１１】
請求項１乃至請求項１０のいずれか１項に記載の印刷画像生成装置において、
前記取得部は、
前記主印字データと、被印刷媒体のサイズ情報と、を取得し、
前記主印字データと前記被印刷媒体のサイズ情報に基づいて、前記第１の印刷画像を生成する
ことを特徴とする印刷画像生成装置。
【請求項１２】
請求項１乃至請求項１０のいずれか１項に記載の印刷画像生成装置において、
前記取得部は、
前記主印字データと、被印刷媒体のサイズ情報と、印刷ヘッドのサイズ情報を取得し、
前記主印字データと前記被印刷媒体のサイズ情報と前記印刷ヘッドのサイズ情報に基づいて、前記第１の印刷画像を生成する
ことを特徴とする印刷画像生成装置。
【請求項１３】
請求項１乃至請求項１２のいずれか１項に記載の印刷画像生成装置において、さらに、
前記第２の印刷画像を被印刷媒体に印刷する印刷部を備える
ことを特徴とする印刷画像生成装置。
【請求項１４】
第１の印刷画像と、前記第１の印刷画像に含まれている主印字データに関連する付加情報と、を取得することと、
前記第１の印刷画像の中から前記付加情報を挿入すべき挿入領域を検出することと、
前記第１の印刷画像の前記挿入領域に前記付加情報が挿入された第２の印刷画像を生成することと、含む
ことを特徴とする印刷画像生成方法。
【請求項１５】
印刷画像生成装置に、
第１の印刷画像と、前記第１の印刷画像に含まれている主印字データに関連する付加情報と、を取得し、
前記第１の印刷画像の中から前記付加情報を挿入すべき挿入領域を検出し、
前記第１の印刷画像の前記挿入領域に前記付加情報が挿入された第２の印刷画像を生成する
処理を実行させることを特徴とするプログラム。
【発明の詳細な説明】
【技術分野】
【０００１】
本明細書の開示は、印刷画像生成装置、印刷画像生成方法、プログラムに関する。
【背景技術】
【０００２】
近年、外国から日本への旅行者数の増加に伴い、いわゆるインバウンドの外国人向けサービスへの需要が高まっている。外国人向けのサービスの典型的なものとしては、案内標識などの外国語表示が挙げられる。外国語表示に関連する技術は、例えば、特許文献１に記載されている。
【０００３】
特許文献１には、スマートフォン等で撮影した商品の画像に利用者によって選択された言語の画像を重畳する多言語表示システムが記載されている。特許文献１に記載の多言語表示システムを用いることで、商品案内を利用者自らが選択した言語で表示することができる。
【０００４】
しかしながら、サービス利用者である外国人からすると、当初から案内が外国語で表示されていることがより望ましい。このため、外国人向けのサービスの拡充のため、印刷装置の分野においても、外国語の文字列が印刷された印刷物を作成する機会がこれまで以上に増加すると見込まれている。
【先行技術文献】
【特許文献】
【０００５】
【特許文献１】特開２０１６−２０６９７３号公報
【発明の概要】
【発明が解決しようとする課題】
【０００６】
外国語の文字列が印刷された印刷物は、外国人にとっては非常に有益であるが、その一方で、その外国語を母国語としない者にとっては、印刷内容を把握することが難しい。このため、例えば、印刷物を作成した時点では印刷内容を把握していたものの、その後、その印刷物を利用する際には、印刷内容が分からないといった事態が起こり得る。
【０００７】
なお、印刷物に外国語の文字列が印刷された場合を例に説明したが、印刷内容の把握が困難になる事態は、外国語の文字列に限らず起こり得る。
【０００８】
以上のような実情を踏まえ、本発明の一側面に係る目的は、サービス利用者とサービス提供者の両者にとって利便性の高い印刷物の作成を支援する技術を提供することである。
【課題を解決するための手段】
【０００９】
本発明の一態様に係る印刷画像生成装置は、第１の印刷画像と、前記第１の印刷画像に含まれている主印字データに関連する付加情報と、を取得する取得部と、前記第１の印刷画像の中から前記付加情報を挿入すべき挿入領域を検出する検出部と、前記第１の印刷画像の前記挿入領域に前記付加情報が挿入された第２の印刷画像を生成する画像生成部と、を備える。
【００１０】
本発明の一態様に係る印刷画像生成方法は、第１の印刷画像と、前記第１の印刷画像に含まれている主印字データに関連する付加情報と、を取得することと、前記第１の印刷画像の中から前記付加情報を挿入すべき挿入領域を検出することと、前記第１の印刷画像の前記挿入領域に前記付加情報が挿入された第２の印刷画像を生成することと、含む。
【００１１】
本発明の一態様に係るプログラムは、印刷画像生成装置に、第１の印刷画像と、前記第１の印刷画像に含まれている主印字データに関連する付加情報と、を取得し、前記第１の印刷画像の中から前記付加情報を挿入すべき挿入領域を検出し、前記第１の印刷画像の前記挿入領域に前記付加情報が挿入された第２の印刷画像を生成する処理を実行させる。
【発明の効果】
【００１２】
上記の態様によれば、サービス利用者とサービス提供者の両者にとって利便性の高い印刷物の作成を支援することができる。
【図面の簡単な説明】
【００１３】
【図１】第１の実施形態に係る印刷装置１の蓋４を閉じた状態における平面図である。
【図２】印刷装置１の蓋４を開けた状態における平面図である。
【図３】被印刷媒体４０の構成を説明するための図である。
【図４】印刷装置１のハードウェア構成を示すブロック図である。
【図５】印刷装置１の機能的構成を示すブロック図である。
【図６】印刷装置１が行う処理の一例を示すフローチャートである。
【図７】第１の実施形態に係る印刷画像生成処理のフローチャートである。
【図８】図７に示す印刷画像生成処理で生成された第１の印刷画像の一例を示した図である。
【図９】図７に示す印刷画像生成処理で生成された第２の印刷画像の一例を示した図である。
【図１０】図７に示す印刷画像生成処理で生成された第１の印刷画像の別の例を示した図である。
【図１１】図７に示す印刷画像生成処理で生成された第２の印刷画像の別の例を示した図である。
【図１２】第２の実施形態に係る印刷画像生成処理のフローチャートである。
【図１３】図１２に示す印刷画像生成処理における挿入領域の検出方法を説明するための図である。
【図１４】図１２に示す印刷画像生成処理で生成された第２の印刷画像の一例を示した図である。
【図１５】第３の実施形態に係る印刷画像生成処理のフローチャートである。
【図１６】図１５に示す印刷画像生成処理で生成された第２の印刷画像の一例を示した図である。
【図１７】第２の印刷画像の更に別の例を示した図である。
【発明を実施するための形態】
【００１４】
［第１の実施形態］
図１は、本実施形態に係る印刷装置１の蓋４を閉じた状態における平面図である。図２は、印刷装置１の蓋４を開けた状態における平面図である。図３は、印刷装置１で使用される被印刷媒体４０の構成を説明するための図である。以下、図１から図３を参照しながら、印刷装置１の構成について説明する。
【００１５】
印刷装置１は、被印刷媒体４０に印刷を行うラベルプリンタである。以降では、感熱方式のラベルプリンタを例にして説明するが、印刷方式は特に限定しない。印刷装置１は、インクリボンを使用する熱転写方式のラベルプリンタであってもよい。また、印刷装置１は、インクジェットプリンタ、レーザプリンタなどであってもよい。また、印刷装置１は、シングルパス（ワンパス）方式で印刷を行ってもよく、マルチパス（スキャン）方式で印刷を行ってもよい。
【００１６】
なお、被印刷媒体４０は、長尺状のテープ部材である。被印刷媒体４０は、特に限定しないが、例えば、図３に示すような５層構造を有している。即ち、セパレータＬ１と、粘着層Ｌ２と、基材Ｌ３と、発色層Ｌ４と、保護層Ｌ５とがこの順に積層されている。セパレータＬ１は粘着層Ｌ２を覆うように剥離可能に基材Ｌ３に貼り付けられている。セパレータＬ１の材料は、例えば、紙であるが、紙に限らず、ＰＥＴ（ポリエチレンテレフタレート）であってもよい。粘着層Ｌ２は、基材Ｌ３に塗布された粘着材である。基材Ｌ３の材料は、例えば、有色のＰＥＴである。発色層Ｌ４は、熱エネルギーの加熱により発色する感熱発色層である。保護層Ｌ５の材料は、例えば、透明なＰＥＴである。
【００１７】
印刷装置１は、図１に示すように、装置筐体２と、入力部３と、開閉自在な蓋４と、窓５と、表示部６と、を備えている。また、図示しないが、装置筐体２には、電源コード接続端子、外部機器接続端子、記憶媒体挿入口等が設けられている。
【００１８】
入力部３は、装置筐体２の上面に設けられている。入力部３は、入力キー、十字キー、変換キー、決定キーなどの種々のキーを備える。利用者は、入力部３を用いることで印刷装置１に文字列等を入力することができる。さらに、利用者は、入力部３を用いることで印刷装置１に印刷を指示することができる。
【００１９】
蓋４は、装置筐体２上に配置されている。利用者は、ボタン４ａを押下してロック機構を解除することで、図２に示すように、蓋４を開けることができる。蓋４には、蓋４が閉じた状態でも印刷装置１に被印刷媒体４０が収容されているか否かを目視で確認可能とするために、窓５が形成されている。また、蓋４は、表示部６を有している。
【００２０】
表示部６は、例えば、液晶ディスプレイ、有機ＥＬ（electro-luminescence）ディスプレイなどである。表示部６はタッチパネル付きのディスプレイであってもよく、入力部３の一部として機能しても良い。表示部６は、編集画面、印刷プレビュー画面などの種々の情報を表示する。
【００２１】
装置筐体２は、図２に示すように、蓋４の下方に、媒体アダプタ収容部２ａと、プラテンローラ７と、サーマルヘッド８を備えている。媒体アダプタ収容部２ａには、被印刷媒体４０を収容した媒体アダプタ２０が収容される。また、装置筐体２は、さらに、被印刷媒体４０が排出される排出口２ｂとサーマルヘッド８の間に、フルカッター９と、ハーフカッター１０と、を備えている。ハーフカッター１０、フルカッター９は、排出口２ｂ側から、この順番で配設されている。
【００２２】
プラテンローラ７は、被印刷媒体４０を搬送する搬送ローラである。プラテンローラ７は、搬送用モータ３２（図４参照）の回転により回転する。搬送用モータ３２は、例えば、ステッピングモータ、直流（ＤＣ）モータなどである。プラテンローラ７は、媒体アダプタ２０から繰り出された被印刷媒体４０をサーマルヘッド８との間に狭持しながら回転することで、被印刷媒体４０を搬送方向に搬送する。
【００２３】
サーマルヘッド８は、被印刷媒体４０に印刷を行う印刷ヘッドである。サーマルヘッド８は、被印刷媒体４０の搬送方向に直交する主走査方向に配列された複数の発熱素子８ａ（図４参照）を有し、発熱素子８ａで被印刷媒体４０を加熱することにより一ラインずつ印刷を行う。
【００２４】
フルカッター９は、被印刷媒体４０を切断する第１の切断装置であり、被印刷媒体４０にフルカットを行うことでテープ片を作成する。なお、フルカットとは、被印刷媒体４０を構成する層の全てを被印刷媒体４０の幅方向に沿って切断する動作のことである。
【００２５】
ハーフカッター１０は、被印刷媒体４０を切断する第２の切断装置であり、被印刷媒体４０にハーフカットを行うことで被印刷媒体４０に切れ目を入れる。なお、ハーフカットとは、被印刷媒体４０のうちのセパレータＬ１（図３参照）以外の層であるラベルを幅方向に沿って切断する動作のことである。
【００２６】
図４は、印刷装置１のハードウェア構成を示すブロック図である。印刷装置１は、上述した構成要素に加えて、図４に示すように、制御回路１２、ＲＯＭ（Read Only Memory）１３、ＲＡＭ（Random Access Memory）１４、表示駆動回路１５、ヘッド駆動回路１６、サーミスタ１７、通信モジュール１８、搬送用モータ駆動回路３１、搬送用モータ３２、カッターモータ駆動回路３４、カッターモータ３５、テープ幅検出スイッチ３６を備える。
【００２７】
制御回路１２は、ＣＰＵ（Central Processing Unit）などのプロセッサを含む。制御回路１２は、ＲＯＭ１３に格納されているプログラムをＲＡＭ１４に展開し実行することで、印刷装置１の各部（例えば、表示部６、プラテンローラ７、サーマルヘッド８）を制御する。
【００２８】
ＲＯＭ１３は、後述する図６に示す処理を行うためのプログラム、プログラムの実行に必要な各種データ（例えば、フォント等）が格納されたメモリである。ＲＡＭ１４は、プログラムの実行に用いられるワークメモリである。なお、印刷装置１での処理に用いられるプログラム及びデータを格納するコンピュータ読み取り可能な記録媒体には、ＲＯＭ１３のような非一時的な記録媒体が含まれる。
【００２９】
表示駆動回路１５は、例えば、液晶表示ドライバ回路、有機ＥＬ表示ドライバ回路である。表示駆動回路１５は、ＲＡＭ１４に格納されている表示データに基づいて表示部６を制御する。
【００３０】
ヘッド駆動回路１６は、制御回路１２の制御下において、印刷データと制御信号に基づいてサーマルヘッド８が有する発熱素子８ａへの通電を制御する。サーマルヘッド８は、主走査方向に配列された複数の発熱素子８ａを有する印刷ヘッドである。サーマルヘッド８は、発熱素子８ａで被印刷媒体４０を加熱することにより被印刷媒体４０に一ラインずつ印刷を行う。つまり、制御回路１２は、ヘッド駆動回路１６を介して発熱素子８ａへの通電を制御することで、サーマルヘッド８を制御する。
【００３１】
サーミスタ１７は、サーマルヘッド８に埋め込まれている。サーミスタ１７は、サーマルヘッド８の温度を測定する。
【００３２】
通信モジュール１８は、有線通信のためのモジュールであってもよく、無線通信のためのモジュールであってもよい。印刷装置１は、通信モジュール１８を用いて外部の通信端末と通信する。
【００３３】
搬送用モータ駆動回路３１は、制御回路１２の制御下で、搬送用モータ３２を駆動する。搬送用モータ３２は、例えばステッピングモータであってもよく、直流（ＤＣ）モータであってもよい。搬送用モータ３２は、プラテンローラ７を回転させる。プラテンローラ７は、搬送用モータ３２の駆動力によって回転し、被印刷媒体４０の長手方向（副走査方向、搬送方向）に沿って、被印刷媒体４０を搬送する搬送ローラである。
【００３４】
カッターモータ駆動回路３４は、制御回路１２の制御下において、カッターモータ３５を駆動する。フルカッター９は、カッターモータ３５の動力によって動作し、被印刷媒体４０の全ての層を切断し、テープ片を作成する。ハーフカッター１０は、カッターモータ３５の動力によって動作し、被印刷媒体４０のうちのセパレータＬ１以外の層であるラベル（Ｌ２−Ｌ５）を切断する。
【００３５】
テープ幅検出スイッチ３６は、媒体アダプタ２０に収容されている被印刷媒体４０の幅を検出するためのスイッチであり、媒体アダプタ収容部２ａに設けられている。媒体アダプタ収容部２ａには、例えば、媒体アダプタ２０の形状に基づいて被印刷媒体４０の幅を検出するために、複数のテープ幅検出スイッチ３６が設けられてもよい。この場合、異なるテープ幅に対応する媒体アダプタ２０は、複数のテープ幅検出スイッチ３６をそれぞれ異なる組み合わせで押下するように構成されている。これにより、制御回路１２が、押下されたテープ幅検出スイッチ３６の組み合わせから、媒体アダプタ２０の種類を特定し、媒体アダプタ２０に収容されている被印刷媒体４０の幅（テープ幅）を検出することができる。
【００３６】
図５は、印刷装置１の機能的構成を示すブロック図である。図６は、印刷装置１が行う処理の一例を示すフローチャートである。以下、図５及び図６を参照しながら、印刷装置１を用いて行われる印刷画像生成方法について説明する。
【００３７】
印刷装置１は、図５に示すように、取得部２００と検出部３００と画像生成部４００とを含む印刷画像生成部１００を備えている。従って、印刷装置１は、印刷画像生成装置の一例である。印刷画像生成部１００は、例えば、図４に示す制御回路１２がＲＯＭ１３に記憶されているプログラムをＲＡＭ１４に展開して実行することによって実現される。印刷装置１は、さらに、印刷部５００を備えてもよい。印刷部５００は、例えば、図４に示すヘッド駆動回路１６及びサーマルヘッド８によって実現される。
【００３８】
印刷画像生成部１００は、図６に示すように、サービス利用者とサービス提供者の各々に有益な情報を含む印刷画像を生成する（ステップＳ１からステップＳ３）。具体的には、取得部２００は、まず、被印刷媒体４０の幅に対応する第１の印刷画像と、第１の印刷画像に含まれている主印字データに関連する付加情報と、を取得する（ステップＳ１）。ここで、“取得する”とは、例えば、通信モジュール１８を用いて印刷装置１の外部から情報を受信することによってその情報を取得すること、ＲＡＭ１４から情報を読み出すことによってその情報を取得すること、制御回路１２自身が情報を生成することによってその情報を取得すること、などを含んでいる。
【００３９】
また、“主印字データ”とは、印刷物を用いたサービスの利用者に向けた情報である。主印字データは、例えば、第１の言語の第１の文字列を含んでいる。印刷装置１で外国人向けの印刷物を生成する場合であれば、第１の言語は、サービス利用者である外国人が理解可能な言語である。具体的には、特に限定しないが、例えば、英語、中国語などである。
【００４０】
“第１の印刷画像”とは、主印字データを含む画像であり、被印刷媒体４０へ印刷することができるように、例えば、被印刷媒体４０の幅に対応した大きさを有している。印刷装置１がラベルプリンタである場合には、第１の印刷画像は、被印刷媒体４０に印刷可能なラベルイメージである。例えば、被印刷媒体４０が９ｍｍテープであれば、第１の印刷画像は、９ｍｍテープに対応する大きさのラベルイメージである。
【００４１】
“付加情報”とは、印刷物を用いたサービスの提供者に向けた情報である。付加情報は、例えば、主印字データに含まれる第１の文字列に対応する情報を含んでいる。具体的には、付加情報は、例えば、図形、又は、第１の言語とは異なる第２の言語の第２の文字列の少なくとも一方を含んでもよい。印刷装置１で外国人向けの印刷物を生成する場合であって、第１の言語をサービス提供者が理解することが難しい場合には、第２の言語は、少なくともサービス提供者が理解可能な言語である。第２の文字列は、例えば、第１の文字列の第２の言語への翻訳であってもよい。また、第２の文字列は、第１の文字列の一部分の第２の言語への翻訳であってもよく、第１の文字列を要約した第２の言語の文字列であってもよい。なお、付加情報に含まれる図形、又は、第２の文字列を構成する文字の少なくとも一方のサイズは、第１の文字列を構成する文字のサイズよりも小さいことが望ましい。
【００４２】
検出部３００は、第１の印刷画像の中から付加情報を挿入すべき挿入領域を検出する（ステップＳ２）。検出部３００は、取得部２００が取得した第１の印刷画像と付加情報に基づいて、挿入領域を検出する。ここで、“挿入領域”とは、第１の印刷画像中の領域である。
【００４３】
画像生成部４００は、第２の印刷画像を生成する（ステップＳ３）。画像生成部４００は、第１の印刷画像の挿入領域に付加情報が挿入された第２の印刷画像を生成する。具体的には、画像生成部４００は、第１の印刷画像の挿入領域に付加情報を挿入することで、第１の印刷画像を第２の印刷画像に変換する。ここで、“第２の印刷画像”とは、主印字データと付加情報の両方を含む画像であり、被印刷媒体４０へ印刷することができるように、例えば、被印刷媒体４０の幅に対応した大きさを有している。印刷装置１がラベルプリンタである場合には、第２の印刷画像は、第１の印刷画像と同様に、被印刷媒体４０に印刷可能なラベルイメージである。例えば、被印刷媒体４０が９ｍｍテープであれば、第２の印刷画像は、９ｍｍテープに対応する大きさのラベルイメージである。なお、画像生成部４００は、付加情報を主印字データとは異なる色又は濃度で第１の印刷画像に挿入してもよい。付加情報を主印字データとは異なる色又は濃度で挿入することで、付加情報が過度に目立ってしまうことを回避することができる。
【００４４】
印刷部５００は、第２の印刷画像を被印刷媒体４０に印刷する（ステップＳ４）。印刷部５００は、被印刷媒体４０に第２の印刷画像を印刷することで、主印字データと付加情報とが印刷された印刷物を作成する。
【００４５】
以上のように、印刷装置１では、ステップＳ１からステップＳ３の処理を行うことで、サービス利用者のための主印字データと、サービス提供者のための付加情報とを含む、第２の印刷画像を得ることができる。そして、印刷装置１は、第２の印刷画像を被印刷媒体４０に印刷することで、主印字データと付加情報が印刷された、サービス利用者とサービス提供者の両者にとって利便性の高い印刷物を作成することができる。従って、印刷画像生成部１００によれば、サービス利用者とサービス提供者の両者にとって利便性の高い印刷物の作成を支援することができる。
【００４６】
図７は、本実施形態に係る印刷画像生成処理のフローチャートである。図８は、図７に示す印刷画像生成処理で生成された第１の印刷画像の一例を示した図である。図９は、図７に示す印刷画像生成処理で生成された第２の印刷画像の一例を示した図である。以下、図７から図９を参照しながら、外国人向けの印刷物を作成する場合を例に、印刷装置１によって行われる印刷画像生成処理について具体的に説明する。なお、印刷画像生成処理は、図６のステップＳ１からステップＳ３の処理に相当する。
【００４７】
図７に示す印刷画像生成処理が開始されると、印刷装置１の取得部２００は、まず、主印字データを取得する（ステップＳ１１）。ここでは、制御回路１２は、例えば、利用者が入力部３を用いて入力した文字列“Ｈｅｌｌｏ！”を取得する。文字列“Ｈｅｌｌｏ！”は、第１の言語の一例である英語の文字列であり、第１の文字列の一例である。ステップＳ１１では、制御回路１２は、第１の文字列を含む主印字データＭ１を取得する。制御回路１２は、さらに、第１の文字列のフォント情報、文字サイズ情報などを取得してもよい。
【００４８】
次に、印刷装置１の取得部２００は、付加情報を取得する（ステップＳ１２）。ここでは、制御回路１２は、例えば、利用者が入力部３を用いて入力した文字列“こんにちは”を取得する。文字列“こんにちは”は、第２の言語の一例である日本語の文字列であり、第１の文字列“Ｈｅｌｌｏ！”の日本語への翻訳である第２の文字列の一例である。ステップＳ１２では、制御回路１２は、第２の文字列を含む付加情報Ａ１を取得する。制御回路１２は、さらに、第２の文字列のフォント情報、文字サイズ情報などを取得してもよい。
【００４９】
さらに、印刷装置１の取得部２００は、テープ幅情報を取得する（ステップＳ１３）。ここでは、制御回路１２は、テープ幅検出スイッチ３６からの情報に基づいて、被印刷媒体４０のテープ幅Ｗを検出してテープ幅情報を取得する。なお、ステップＳ１１からステップＳ１３の処理順は、特にこの例に限らない。また、これらの処理は、時間的に並列に行われてもよい。また、ステップＳ１２の処理は、後述するステップＳ１６の処理前に行われればよい。
【００５０】
印刷装置１は、主印字データとテープ幅情報とに基づいて、第１の印刷画像を生成する（ステップＳ１４）。ここでは、制御回路１２は、例えば、図８に示すように、主印字データＭ１を含むテープ幅Ｗに対応する第１の印刷画像ＦＰ１を生成する。これにより、被印刷媒体４０のサイズに対応するラベルイメージ（第１の印刷画像）を生成することが可能であり、被印刷媒体４０を有効に利用することができる。主印字データＭ１に含まれる第１の文字列の文字サイズＣは、例えば、ステップＳ１１で取得した文字サイズ情報に基づいて決定されてもよい。また、文字サイズＣが指定されていない場合には、例えば、ステップＳ１３で取得したテープ幅Ｗに基づいて、第１の文字列の文字サイズＣは自動的に決定されてもよい。
【００５１】
第１の印刷画像を生成すると、印刷装置１は、余白領域を検出する（ステップＳ１５）。ここでは、制御回路１２は、ステップＳ１１で文字サイズ情報を取得した場合であれば、図８に示すように、第１の文字列の文字サイズＣとテープ幅Ｗとに基づいて、被印刷媒体４０の幅方向の上下に生じる余白の大きさを算出し、算出結果に基づいて余白領域を検出してもよい。なお、“余白領域”とは、第１の印刷画像中の領域であり、サーマルヘッド８によって印字される予定のない領域のことである。
【００５２】
余白領域を検出すると、印刷装置１は、挿入領域を検出する（ステップＳ１６）。ここでは、制御回路１２は、ステップＳ１５で検出した余白領域の中から挿入領域を検出する。制御回路１２は、例えば、ステップＳ１２で第２の文字列の文字サイズ情報を取得した場合であれば、その文字サイズの第２の文字列が収まる領域を余白領域の中から検出して挿入領域に決定してもよい。また、第２の文字列が収まる領域が見つからない場合には、文字サイズを縮小して改めて余白領域を探索し挿入領域を決定してもよい。なお、縮小後の文字サイズは、サービス提供者が視認できるサイズであればよく、例えば、予めサービス提供者によって設定された下限サイズ以上であればよい。また、第２の文字列の文字サイズは、例えば、予め設定されている文字サイズに決定してもよく、第１の文字列の文字サイズに対して所定の比率で縮小した文字サイズに決定してもよい。なお、第２の文字列の文字サイズは、少なくとも第１の文字列の文字サイズよりも小さいことが望ましい。
【００５３】
印刷装置１は、さらに、付加情報の濃度を決定する（ステップＳ１７）。付加情報Ａ１は、主印字データよりも目立たないことが望ましい。そのため、ここでは、制御回路１２は、付加情報Ａ１の濃度を、主印字データＭ１の濃度以下に決定する。
【００５４】
最後に、印刷装置１は、挿入領域に付加情報を挿入して第２の印刷画像を生成する（ステップＳ１８）。ここでは、制御回路１２は、第１の印刷画像ＦＰ１中の挿入領域の情報を、ステップＳ１７で決定した濃度の付加情報Ａ１に置き換える。これにより、図８に示す第１の印刷画像ＦＰ１を、図９に示す第２の印刷画像ＳＰ１に変換する。
【００５５】
印刷装置１は、図７に示す印刷画像生成処理を行うことで、図９に示すように、サービス利用者である外国人向けの主印字データＭ１とサービス提供者である日本人向けの付加情報Ａ１を含む、第２の印刷画像ＳＰ１を生成することができる。そして、第２の印刷画像ＳＰ１を用いることで、サービス利用者とサービス提供者の各々に向けた情報が印刷された印刷物を容易に作成することができる。このため、印刷装置１によれば、サービス利用者とサービス提供者の両者にとって利便性の高い印刷物の作成を支援することができる。
【００５６】
また、印刷装置１は、図７に示す印刷画像生成処理を行うことで、主印字データを含む第１の印刷画像の余白領域に付加情報を追加することが可能である。余白領域に付加情報を追加することで、主印字データに付加情報が重なって主印字データが視認しづらくなるといった事態を回避することができる。特に、文字サイズを用いることで、簡単な計算で余白領域を検出することが可能なため、印刷装置１に高い計算負荷を課すことなく余白領域を検出することができる。
【００５７】
また、印刷装置１では、主印字データとともに第２の印刷画像に含まれる付加情報が、主印字データに含まれる第１の言語の第１の文字列に対応する情報であり、且つ、図形若しくは第１の言語と異なる第２の言語の第２の文字列を含んでいる。これにより、サービス利用者に応じた言語（第１の言語）の主印字データを含む印刷画像に、サービス提供者が理解できる付加情報が埋め込むことができるため、インバウンドの外国人向けサービスに利用することができる。特に、付加情報に含まれる第２の文字列が第１の文字列の翻訳であれば、例えば、インターネット情報の翻訳装置を利用することで、第２の文字列の入力を省略することも可能である。従って、印刷装置１に手動で入力すべき情報を少なくすることが可能であり、印刷画像の生成作業を簡素化することができる。
【００５８】
図１０は、図７に示す印刷画像生成処理で生成された第１の印刷画像の別の例を示した図である。図１１は、図７に示す印刷画像生成処理で生成された第２の印刷画像の別の例を示した図である。以上では、文字サイズに基づいて余白領域を検出する例を示したが、制御回路１２は、ステップＳ１１で文字間隔情報を取得した場合であれば、文字間隔に基づいて余白領域を検出してもよい。図１０に示すように、第１の言語が例えば中国語や日本語の場合であれば、英語の場合と比較して比較的大きな文字間隔Ｓが設定され得る。このような場合には、図１１に示すように、文字と文字の間に付加情報Ａ２を挿入してもよい。即ち、図１０に示す主印字データＭ２を含む第１の印刷画像ＦＰ２に付加情報Ａ２を挿入することで、図１１に示す主印字データＭ２と付加情報Ａ２の両方を含む第２の印刷画像ＳＰ２を生成してもよい。この場合も、文字サイズを用いた場合と同様に、簡単な計算で余白領域を検出することが可能なため、印刷装置１に高い計算負荷を課すことなく余白領域を検出することができる。なお、第２の文字列は、縦書きで挿入する例を示したが、横書きで挿入してもよい。
【００５９】
なお、余白領域の検出方法は上述した方法に限らない。例えば、文字サイズＣ又は文字間隔Ｓに基づいて計算によって余白領域を検出する代わりに、制御回路１２は、第１の印刷画像を所定の閾値を用いて二値化する画像処理によって、余白領域を検出してもよい。この場合、第１の文字列の内容によって異なる余白領域を正確に認識して有効に活用することが可能となる。
【００６０】
また、印刷装置１は、付加情報の濃度を主印字データの濃度よりも低く設定することが可能であり、サーマルプリンタの場合であれば、発熱素子８ａへの通電時間を制御することで印刷濃度を調整することができる。印刷物の本来の目的はサービス利用者に必要な情報を正しく提供することであるため、サービス提供者向けの情報が過度に目立ってしまうことは望ましくない。付加情報の濃度を主印字データの濃度よりも低く設定することで、付加情報が必要以上に目立ってしまうことを回避することができる。
【００６１】
なお、以上では、付加情報の濃度を主印字データの濃度と異ならせることで、付加情報を目立ちにくくする例を示したが、付加情報を目立ちにくくする方法はこの例に限らない。例えば、カラー印刷が行われる場合であれば、付加情報の色を主印字データの色と異ならせることで、付加情報を目立ちにくくしてもよい。
【００６２】
また、印刷装置１は、付加情報に含まれる第２の文字列の文字サイズを、主印字データに含まれる第１の文字列の文字サイズよりも小さくしてもよい。サイズを調整することによって、色や濃度を調整する場合と同様に、付加情報が必要以上に目立ってしまうことを回避することができる。
【００６３】
［第２の実施形態］
図１２は、本実施形態に係る印刷画像生成処理のフローチャートである。図１３は、図１２に示す印刷画像生成処理における挿入領域の検出方法を説明するための図である。図１４は、図１２に示す印刷画像生成処理で生成された第２の印刷画像の一例を示した図である。以下、図１２から図１４を参照しながら、本実施形態に係る印刷装置によって行われる印刷画像生成処理について具体的に説明する。なお、本実施形態に係る印刷装置は、図７に示す印刷画像生成処理の代わりに、図１２に示す印刷画像生成処理を行う点を除き、印刷装置１と同様である。
【００６４】
図１２に示す印刷画像生成処理が開始されると、印刷装置の取得部２００は、主印字データ、付加情報、テープ幅情報を取得し（ステップＳ２１からステップＳ２３）、主印字データとテープ幅情報に基づいて第１の印刷画像を生成する（ステップＳ２４）。なお、ステップＳ２１からステップＳ２４の処理は、図７に示すステップＳ１１からステップＳ１４の処理と同様である。
【００６５】
その後、印刷装置の検出部３００は、第１の印刷画像に付加情報を挿入する位置に応じて変化する重なりの程度に基づいて、第１の印刷画像の中から挿入領域を検出する（ステップＳ２５、ステップＳ２６）。
【００６６】
より具体的には、検出部３００は、まず、付加情報の挿入位置に応じた付加情報と主印字データとの重なりを評価する（ステップＳ２５）。例えば、図１３に示すように、付加情報に相当する大きさの注目領域ＲＯＩを用いて、主印字データＭ３を含む第１の印刷画像ＦＰ３をスキャンしてもよい。そして、スキャン中の各位置における注目領域ＲＯＩと主印字データＭ３の重なりの程度を算出してもよい。重なりの程度は、注目領域ＲＯＩ内に存在する主印字データＭ３の黒画素の数で評価してもよい。なお、注目領域ＲＯＩの代わりに付加情報Ａ３のそのものを用いて、第１の印刷画像ＦＰ３をスキャンしてもよい。この場合、重なりの程度は、付加情報Ａ３の黒画素と主印字データＭ３の黒画素が重なった画素数で評価してもよい。
【００６７】
重なりの程度が評価されると、検出部３００は、重なりの程度に基づいて、挿入領域に検出する（ステップＳ２６）。ここでは、検出部３００は、重なりの程度が最も小さいときの注目領域ＲＯＩの位置を特定し、特定した位置における注目領域ＲＯＩの範囲を挿入領域として検出してもよい。または、検出部３００は、重なりの程度が最も小さいときの付加情報Ａ３の位置を特定し、その位置に対応する付加情報Ａ３の範囲を挿入領域として検出してもよい。
【００６８】
挿入領域が検出されると、画像生成部４００は、付加情報の濃度を決定し（ステップＳ２７）、挿入領域に付加情報を挿入して第２の印刷画像を生成する（ステップＳ２８）。これにより、図１４に示すような、主印字データＭ３と付加情報Ａ３を含む第２の印刷画像ＳＰ３が生成される。なお、ステップＳ２７とステップＳ２８の処理は、図７のステップＳ１７とステップＳ１８の処理と同様である。
【００６９】
本実施形態に係る印刷装置は、図１２に示す印刷画像生成処理を行うことで、図７に示す印刷画像生成処理を行った場合と同様に、サービス利用者向けの主印字データとサービス提供者向けの付加情報を含む、第２の印刷画像を生成することができる。このため、本実施形態に係る印刷装置によっても、印刷装置１と同様に、サービス利用者とサービス提供者の両者にとって利便性の高い印刷物の作成を支援することができる。
【００７０】
さらに、本実施形態に係る印刷装置は、主印字データと付加情報の重なりに基づいて挿入領域を検出する。このため、付加情報を挿入可能な余白領域が存在しない場合であっても、重なりが少なくなるように、つまり、主印字データの表示をできる限り妨げないように付加情報を挿入することができる。従って、本実施形態に係る印刷装置によれば、主印字データの視認性に与える悪影響を抑えながら、確実に付加情報を印刷画像に含めることが可能となる。
【００７１】
［第３の実施形態］
図１５は、本実施形態に係る印刷画像生成処理のフローチャートである。図１６は、図１５に示す印刷画像生成処理で生成された第２の印刷画像の一例を示した図である。以下、図１５及び図１６を参照しながら、本実施形態に係る印刷装置によって行われる印刷画像生成処理について具体的に説明する。なお、本実施形態に係る印刷装置は、図７に示す印刷画像生成処理の代わりに、図１５に示す印刷画像生成処理を行う点を除き、印刷装置１と同様である。
【００７２】
図１５に示す印刷画像生成処理が開始されると、印刷装置の取得部２００は、主印字データ、付加情報、テープ幅情報を取得し（ステップＳ３１からステップＳ３３）、主印字データとテープ幅情報に基づいて第１の印刷画像を生成する（ステップＳ３４）。なお、ステップＳ３１からステップＳ３４の処理は、図７に示すステップＳ１１からステップＳ１４の処理と同様である。
【００７３】
その後、印刷装置の検出部３００は、第１の印刷画像内の印字領域を検出する（ステップＳ３５）。ここでは、検出部３００は、第１の印刷画像内の主印字データを表す領域を印字領域として検出する。
【００７４】
さらに、検出部３００は、印字領域の中から挿入領域を検出する（ステップＳ３６）。ここでは、印字領域の中から付加情報を埋め込むスペースがある領域を挿入領域として検出する。
【００７５】
挿入領域が検出されると、画像生成部４００は、付加情報の濃度を決定し（ステップＳ３７）、挿入領域に付加情報を挿入して第２の印刷画像を生成する（ステップＳ３８）。これにより、図１６に示すような、主印字データＭ４内に付加情報Ａ４が埋め込まれた第２の印刷画像ＳＰ４が生成される。なお、ステップＳ３７とステップＳ３８の処理は、図７のステップＳ１７とステップＳ１８の処理と同様である。ただし、ステップＳ３７では、主印字データＭ４内に付加情報Ａ４が埋め込まれたときに、付加情報Ａ４を主印字データＭ４と区別して認識できる濃度に設定する。具体的には、主印字データＭ４の濃度がある程度高い場合には、付加情報Ａ４はある程度低い濃度に設定すればよく、例えば、濃度０、つまり、付加情報Ａ４を白画素として設定してもよい。
【００７６】
本実施形態に係る印刷装置は、図１５に示す印刷画像生成処理を行うことによっても、図７に示す印刷画像生成処理を行った場合と同様に、サービス利用者向けの主印字データとサービス提供者向けの付加情報を含む、第２の印刷画像を生成することができる。このため、本実施形態に係る印刷装置によっても、印刷装置１と同様に、サービス利用者とサービス提供者の両者にとって利便性の高い印刷物の作成を支援することができる。
【００７７】
さらに、本実施形態に係る印刷装置では、付加情報は、主印字データ内に埋め込まれる。このため、付加情報が主印字データ外に挿入される場合と比較して、印刷画像全体のデザインに及ぼす影響を小さく抑えることができる。従って、好ましく設計したデザインが付加情報を追加することによって崩されてしまうことを回避することができる。
【００７８】
上述した実施形態は、発明の理解を容易にするために具体例を示したものであり、本発明はこれらの実施形態に限定されるものではない。印刷画像生成装置、印刷画像生成方法、及び、プログラムは、特許請求の範囲の記載を逸脱しない範囲において、さまざまな変形、変更が可能である。
【００７９】
上述した実施形態では、被印刷媒体のサイズの一例として被印刷媒体４０のテープ幅を例示したが、被印刷媒体のサイズは、テープ幅に限らない。例えば、被印刷媒体がカット紙の場合であれば、用紙サイズなどであってもよい。印刷装置１は、被印刷媒体のサイズに対応する第１の印刷画像及び第２の印刷画像を生成してもよい。
【００８０】
また、上述した実施形態では、印刷装置１が第１の印刷画像を生成する例を示したが、第１の印刷画像は、印刷装置１ではない外部装置によって生成されてもよく、印刷装置１は、外部装置から受信した第１の印刷画像を用いて、第２の印刷画像を生成してもよい。例えば、印刷装置１は、中国語の入力が可能なコンピュータで生成された中国語の文字列を含む第１の印刷画像を用いて、日本語の文字列を含む第２の印刷画像を生成してもよい。
【００８１】
また、上述した実施形態では、印刷装置１が主印字データと被印刷媒体のサイズ情報に基づいて第１の印刷画像を生成する例を示したが、第１の印刷画像は、主印字データと被印刷媒体のサイズ情報と印刷ヘッドのサイズ情報に基づいて生成されてもよい。印刷ヘッドのサイズ情報を用いることで、被印刷媒体のサイズに比べて印刷ヘッドのサイズが小さい場合には、印刷ヘッドのサイズに対応する第１の印刷画像を生成することができる。これにより、実際に印刷可能な大きさの印刷画像をより確実に生成することが可能となる。
【００８２】
また、上述した実施形態では、印刷装置１が第２の印刷画像を生成する例を示したが、第２の印刷画像を生成する装置は、印刷装置に限らない。第２の印刷画像は、印刷部を備えていないコンピュータによって生成されてもよい。この場合、第２の印刷画像を生成するコンピュータは、印刷画像生成装置であり、コンピュータと通信可能に接続された印刷装置によって第２の印刷画像が印刷されてもよい。
【００８３】
また、上述した実施形態では、検出部３００が挿入領域を検出する例を示したが、検出部３００によって挿入領域の複数の候補が検出された場合には、検出された複数の候補の位置に基づいて、複数の候補から挿入領域を選択してもよい。例えば、第２の実施形態において、重なりの程度が同じ複数の領域が挿入領域の候補として検出された場合であれば、それらの領域のうち、最も四隅に近いものを挿入領域として決定してもよい。位置を考慮して挿入領域を決定することで、第２の印刷画像内において、付加情報を目立ちにくいすることができる。また、例えば、検出された複数の候補の位置と第１の文字列の書字方向に基づいて挿入領域を決定してもよい。書字方向を用いることで、例えば、第１の文字列の後方の位置を、優先的に挿入領域を決定してもよい。なお、書字方向とは、文字列を書き進める方向のことである。
【００８４】
また、上述した実施形態では、付加情報に第２の文字列が含まれる例を示したが、付加情報は、第１の文字列に対応する情報を含んでいればよい。例えば、図１７に示すように、印刷装置１は、第１の文字列を含む主印字データＭ５と、図形を含む付加情報Ａ５と、を含む第２の印刷画像ＳＰ５を生成してもよい。この場合も、付加情報Ａ５に含まれるリンゴの図形によって、主印字データＭ５に含まれる“Ａｐｐｌｅ”の内容を把握することが可能である。
【００８５】
また、上述した実施形態では、主印字データに含まれる第１の文字列と付加情報に含まれる第２の文字列が異なる言語の文字列である例を示したが、第１の文字列と第２の文字列は、同一言語の文字列であってもよい。例えば、第１の文字列が難読漢字である場合には、第２の文字列はその難読漢字の振り仮名であってもよい。難読漢字とは、読むことが難しい漢字のことである。常用漢字表にない漢字、読み方が常用漢字表の付表に記載されている熟字訓などいわゆる表外読みの漢字などは、難読漢字である。例えば、主印字データに含まれる第１の文字列が“蒲公英”の場合は、付加情報に含まれる第２の文字列は“たんぽぽ”であってもよい。
【００８６】
以下、本願の出願当初の特許請求の範囲に記載された発明を付記する。
［付記１］
第１の印刷画像と、前記第１の印刷画像に含まれている主印字データに関連する付加情報と、を取得する取得部と、
前記第１の印刷画像の中から前記付加情報を挿入すべき挿入領域を検出する検出部と、
前記第１の印刷画像の前記挿入領域に前記付加情報が挿入された第２の印刷画像を生成する画像生成部と、を備える
ことを特徴とする印刷画像生成装置。
［付記２］
付記１に記載の印刷画像生成装置において、
前記検出部は、前記第１の印刷画像内の余白領域の中から前記挿入領域を検出する
ことを特徴とする印刷画像生成装置。
［付記３］
付記２に記載の印刷画像生成装置において、
前記検出部は、前記主印字データの文字サイズ又は文字間隔に基づいて、前記第１の印刷画像の中から前記余白領域を検出する
ことを特徴とする印刷画像生成装置。
［付記４］
付記１に記載の印刷画像生成装置において、
前記検出部は、前記付加情報を前記第１の印刷画像に挿入する位置に応じて変化する前記主印字データと前記付加情報との重なりに基づいて、前記第１の印刷画像の中から前記挿入領域を検出する
ことを特徴とする印刷画像生成装置。
［付記５］
付記１に記載の印刷画像生成装置において、
前記検出部は、前記第１の印刷画像内の前記主印字データを表す領域の中から前記挿入領域を検出する
ことを特徴とする印刷画像生成装置。
［付記６］
付記１乃至付記５のいずれか１つに記載の印刷画像生成装置において、
前記検出部は、前記挿入領域の複数の候補が検出されたときに、前記第１の印刷画像内における前記複数の候補の位置に基づいて、前記複数の候補から前記挿入領域を選択する
ことを特徴とする印刷画像生成装置。
［付記７］
付記１乃至付記６のいずれか１つに記載の印刷画像生成装置において、
前記画像生成部は、前記付加情報を前記主印字データとは異なる色又は濃度で前記第１の印刷画像に挿入する
ことを特徴とする印刷画像生成装置。
［付記８］
付記１乃至付記７のいずれか１つに記載の印刷画像生成装置において、
前記主印字データは、第１の言語の第１の文字列を含み、
前記付加情報は、前記第１の文字列に対応する情報であって、図形、又は、前記第１の言語とは異なる第２の言語の第２の文字列の少なくとも一方を含む
ことを特徴とする印刷画像生成装置。
［付記９］
付記８に記載の印刷画像生成装置において、
前記主印字データは、第１の言語の第１の文字列を含み、
前記第２の文字列は、前記第１の文字列の第２の言語への翻訳である
ことを特徴とする印刷画像生成装置。
［付記１０］
付記８又は付記９に記載の印刷画像生成装置において、
前記図形、又は、前記第２の文字列を構成する文字の少なくとも一方のサイズは、前記第１の文字列を構成する文字のサイズよりも小さい
ことを特徴とする印刷画像生成装置。
［付記１１］
付記１乃至付記１０のいずれか１つに記載の印刷画像生成装置において、
前記取得部は、
前記主印字データと、被印刷媒体のサイズ情報と、を取得し、
前記主印字データと前記被印刷媒体のサイズ情報に基づいて、前記第１の印刷画像を生成する
ことを特徴とする印刷画像生成装置。
［付記１２］
付記１乃至付記１０のいずれか１つに記載の印刷画像生成装置において、
前記取得部は、
前記主印字データと、被印刷媒体のサイズ情報と、印刷ヘッドのサイズ情報を取得し、
前記主印字データと前記被印刷媒体のサイズ情報と前記印刷ヘッドのサイズ情報に基づいて、前記第１の印刷画像を生成する
ことを特徴とする印刷画像生成装置。
［付記１３］
付記１乃至付記１２のいずれか１つに記載の印刷画像生成装置において、さらに、
前記第２の印刷画像を被印刷媒体に印刷する印刷部を備える
ことを特徴とする印刷画像生成装置。
［付記１４］
第１の印刷画像と、前記第１の印刷画像に含まれている主印字データに関連する付加情報と、を取得することと、
前記第１の印刷画像の中から前記付加情報を挿入すべき挿入領域を検出することと、
前記第１の印刷画像の前記挿入領域に前記付加情報が挿入された第２の印刷画像を生成することと、含む
ことを特徴とする印刷画像生成方法。
［付記１５］
印刷画像生成装置に、
第１の印刷画像と、前記第１の印刷画像に含まれている主印字データに関連する付加情報と、を取得し、
前記第１の印刷画像の中から前記付加情報を挿入すべき挿入領域を検出し、
前記第１の印刷画像の前記挿入領域に前記付加情報が挿入された第２の印刷画像を生成する
処理を実行させることを特徴とするプログラム。
【符号の説明】
【００８７】
１                      印刷装置
２                      装置筐体
２ａ                    媒体アダプタ収容部
２ｂ                    排出口
３                      入力部
４                      蓋
４ａ                    ボタン
５                      窓
６                      表示部
７                      プラテンローラ
８                      サーマルヘッド
８ａ                    発熱素子
９                      フルカッター
１０                    ハーフカッター
１２                    制御回路
１３                    ＲＯＭ
１４                    ＲＡＭ
１５                    表示駆動回路
１６                    ヘッド駆動回路
１７                    サーミスタ
１８                    通信モジュール
２０                    媒体アダプタ
３１                    搬送用モータ駆動回路
３２                    搬送用モータ
３４                    カッターモータ駆動回路
３５                    カッターモータ
３６                    テープ幅検出スイッチ
４０                    被印刷媒体
１００                  印刷画像生成部
２００                  取得部
３００                  検出部
４００                  画像生成部
５００                  印刷部
Ａ１〜Ａ５              付加情報
ＦＰ１〜ＦＰ３          第１の印刷画像
Ｌ１                    セパレータ
Ｌ２                    粘着層
Ｌ３                    基材
Ｌ４                    発色層
Ｌ５                    保護層
Ｍ１〜Ｍ５              主印字データ
ＳＰ１〜ＳＰ５          第２の印刷画像
【図１】
2020205570.tif 000003
【図２】
2020205570.tif 000004
【図３】
2020205570.tif 000005
【図４】
2020205570.tif 000006
【図５】
2020205570.tif 000007
【図６】
2020205570.tif 000008
【図７】
2020205570.tif 000009
【図８】
2020205570.tif 000010
【図９】
2020205570.tif 000011
【図１０】
2020205570.tif 000012
【図１１】
2020205570.tif 000013
【図１２】
2020205570.tif 000014
【図１３】
2020205570.tif 000015
【図１４】
2020205570.tif 000016
【図１５】
2020205570.tif 000017
【図１６】
2020205570.tif 000018
【図１７】
2020205570.tif 000019